(57)【要約】【課題】  遊技機において、開閉部材の開閉動作を補助するべく備えられる転動部材の耐久性を向上する上で有効な技術を提供する。【解決手段】  外枠１０１に開閉可能に取り付けられた内枠１０３と、外枠１０１の前面下部に設けられた幕板１１１と、を有する遊技機１００において、内枠１０３と幕板１１１のいずれか一方には、内枠１０３の開閉動作時に当該内枠１０３の重量を支持しつつ転動する転動部材１２１を備えた。【選択図】  図３
2005253861.tif 000002
【特許請求の範囲】
【請求項１】
外枠に開閉可能に取り付けられた内枠と、外枠の前面下部に設けられた幕板と、を有する遊技機であって、
前記内枠と前記幕板のいずれか一方には、前記内枠の開閉動作時に当該内枠の重量を支持しつつ転動する転動部材を備えたことを特徴とする遊技機。
【発明の詳細な説明】
【技術分野】
【０００１】
本発明は、遊技機に関し、詳しくは遊技機を構成する部材のうち、特に開閉自在な開閉部材の開閉補助技術に関する。
【背景技術】
【０００２】
遊技機としてのパチンコ機において、ヒンジを介して片持ち状に支持される開閉部材の開閉動作、特に閉止動作を補助する技術の一例が、例えば特開２００３−１０３００３号公報（特許文献１）に開示されている。
公報記載の従来技術では、パチンコ機において、ヒンジを介して前後方向に開閉自在に装着された上皿にローラを設け、上皿を閉止するときに、ローラが下皿の上辺部上面を転動することによって上皿の閉止動作を補助する構成とされる。
【０００３】
ところが、上記の従来技術は、通常の状態である閉止位置において、開閉部材である上皿の重量をローラで支える構成であり、上皿の重量がローラに集中的にかつ長時間にわたって作用することとなるため、当該ローラ、特にローラを支持するための軸や軸受の耐久性に影響を及ぼすことになる。また上皿と下皿間に間隙が生じる可能性があり、不正防止の観点からこの間隙を隠すための手段も必要とされる。
【特許文献１】特開２００３−１０３００３号公報
【発明の開示】
【発明が解決しようとする課題】
【０００４】
本発明は、かかる点に鑑みてなされたものであり、遊技機において、開閉部材の開閉動作を補助するべく備えられる転動部材の耐久性を向上する上で有効な技術を提供することを目的とする。
【課題を解決するための手段】
【０００５】
上記課題を達成するため、特許請求の範囲の請求項１に記載の発明が構成される。
請求項１に記載の発明によれば、外枠に開閉可能に取り付けられた内枠と、外枠の前面下部に設けられた幕板と、を有する遊技機が構成される。遊技機としては、典型的には、パチンコ機やスロットマシン等がこれに該当する。本発明に係る遊技機では、内枠と幕板のいずれか一方には、内枠の開閉動作時に当該内枠の重量を支持しつつ転動する転動部材を備えた構成とされる。ここで本発明における「転動部材」としては、円筒体、球体、円錐体等を好適に包含する。
【発明の効果】
【０００６】
本発明によれば、遊技機において、開閉部材の開閉動作を補助するべく備えられる転動部材の耐久性を向上する上で有効な技術が提供されることとなった。
【発明を実施するための最良の形態】
【０００７】
以下、本発明の実施の形態に係るパチンコ機につき図１〜図５を参照しつつ詳細に説明する。図１はパチンコ機１００の全体を示す斜視図である。パチンコ機１００は、本発明における「遊技機」の一例である。図１に示すように、パチンコ機１００は、概括的には、外枠１０１、内枠１０３、遊技盤１０５、ガラス枠（前面枠）１０７、前板１０９、図示省略の機構板からなる。内枠１０３はパチンコ機１００の前方から見て左側縁部がヒンジ機構１０３ａを介して外枠１０１に開閉自在に取り付けられ、閉止位置では外枠１０１の前面下部に設けられた幕板１１１によって重量を受けられる。遊技盤１０５は内枠１０３に前方から嵌め込まれた状態で取り付けられる。またガラス枠１０７および前板１０９は、パチンコ機１００の前方から見て内枠１０３の左側縁部に個々にヒンジ（図示省略）を介して開閉自在に取り付けられる。また機構板は内枠１０３の裏面側に開閉自在に取り付けられる。
なお図１では、内枠１０３が外枠１０１に対して開放され、ガラス枠１０７および前板１０９が内枠１０３に対して開放された状態が示されている。上記の内枠１０３は、本発明における「開閉部材」に対応し、幕板１１１が本発明における「受部材」に対応する。
【０００８】
図２は外枠１０１および内枠１０３の下部側をパチンコ機１００の後方から見た裏面図、図３〜図５はそれぞれ図２のＡ−Ａ線縦断面図であり、内枠１０３の開閉補助手段の主要部を示している。図２に示すように、外枠１０１にヒンジ機構１０３ａを介して開閉自在に取り付けられる内枠１０３には、当該内枠１０３の開閉動作を補助する手段としてのコロ（ローラ）１２１が設けられている。このコロ１２１は、本発明における「転動部材」に対応する。
【０００９】
コロ１２１は、円筒体あるいは円柱体からなり、内枠１０３の下辺部における自由端（パチンコ機１００の前方から見て右側縁部）寄りの後端部（裏面側端部）に金属（鉄板）製のコロ支持板１２３を介して取り付けられている。なおコロ支持板１２３は、内枠１０３の下辺部にネジ等の止着手段によって止着されており、図３に示すように、コロ１２１が配置される部位よりも前側には平坦状の平面部１２３ａを有する。コロ１２１は、内枠１０３の後面と平行な水平軸線を中心として回転自在に支持され、下端部がコロ支持板１２３の平面部１２３ａの下面よりも下方へ所定量突出されている。コロ１２１は、内枠１０３の閉止動作時には、図４に示すように、外枠１０１の下辺部に設けた幕板１１１の上面を転動し、内枠１０３の閉止状態では、図５に示すように、幕板１１１の上面後端部にコロ逃し用として形成された段差状の低所１１３に入り込み、これによって内枠１０３と幕板１１１との面接触を許容する構成とされる。この低所１１３は、本発明における「段差部」に対応する。
【００１０】
幕板１１１の上面には、コロ１２１が転動する金属（鉄板）製の荷重受板１２５がネジ等の止着手段によって止着されている。荷重受板１２５は、内枠１０３の開閉動作時にコロ１２１が転動する平坦な平面部１２５ａを有しており、内枠１０３が閉じられてコロ１２１が低所１１３に入り込んだときに、平面部１２５ａがコロ支持板１２３の平面部１２３ａと面接触して内枠１０３の重量を支持する構成とされる。すなわち、本実施の形態においては、内枠１０３と幕板１１１の面接触は、金属板を介して行われる構成とされている。上記のコロ支持板１２３および荷重受板１２５が本発明における「金属板」に対応する。
また荷重受板１２５は、平面部１２５ａにおけるコロ転動方向（前後方向）の両端部に形成された前後の傾斜面部１２５ｂ、１２５ｃを有する。前側（正面側）の傾斜面部１２５ｂは、前下がりの傾斜面とされ、幕板１１１の前方に所定長さで延出されている。後側（裏面側）の傾斜面部１２５ｃは、後下がりの傾斜面とされ、幕板１１１の低所１１３に臨んでいる。
【００１１】
本実施の形態に係るパチンコ機１００は、上記のように構成されている。図３は内枠１０３が開放された状態を示している。この状態では、ヒンジ機構１０３ａを介して片持ち状に支持される内枠１０３は、自由端側が下がり気味となる。内枠１０３を閉じるべく後方へ押し込むと、コロ１２１は、荷重受板１２５の前側の傾斜面部１２５ｂを介して平面部１２５ａに乗り上げる（図４参照）。すなわち、コロ１２１は、内枠１０３が閉止位置に達するまでは、当該内枠１０３の重量を支持しつつ荷重受板１２５の平面部１２５ａを転動し、内枠１０３の閉止動作を助成する。そして内枠１０３が閉止位置に達すると、コロ１２１が後側の傾斜面部１２５ｃを経て低所１１３に入り込み、コロ支持板１２３の平面部１２３ａが幕板１１１の荷重受板１２５の平面部１２５ａ上に載置される（図５参照）。かくして、内枠１０３の重量は、金属板の面接触を介して幕板１１１によって分散されて支持される。低所１１３に入り込んだコロ１２１は、幕板１１１の上面から離間し、重量を受けない。また内枠１０３を開放するべく前方へ引き出したときは、コロ１２１は後側の傾斜面部１２５ｃを経て平面部１２５ａに乗り上げられたのち、当該平面部１２５ａを転動し、内枠１０３の開放動作を助成する。
【００１２】
このように、本実施の形態によれば、内枠１０３の開閉動作は、当該内枠１０３の重量を支持しつつ荷重受板１２３の上面を転動するコロ１２１を介して円滑に行うことができる。一方、内枠１０３の閉止状態では、コロ１２１を幕板１１１の上辺後端部に形成したコロ逃し用としての低所１１３に退避させ、内枠１０３の重量をコロ１２１では受けずに、幕板１１１と内枠１０３との面接触によって支持する構成としたことによって、コロ１２１の負担を無くし、その耐久性を向上できる。内枠１０３は、よく知られているように、遊技盤１０５、機構板、ガラス枠１０７、前枠１０９等の多数の構成部材が取り付けられ、遊技球が入った状態では、相当の重量物となる。内枠１０３は通常時には閉止位置にあるため、この閉止位置で面接触により内枠１０３の荷重を支持する構成とし、コロ１２１による重量支持を回避する構成とすることは、コロ１２１およびコロ１２１の支持部の耐久性を向上する上で有効となる。
【００１３】
また本実施の形態では、荷重受板１２５の前後にそれぞれ傾斜面部１２５ｂ、１２５ｃを設けてあるため、内枠１０３を閉止あるいは開放する際、平面部１２５ａへの乗り上げを楽に行うことができ、ひいては内枠１０３の開閉動作を円滑に行うことができる。また後側の傾斜面部１２５ｃは、内枠１０３のロック（鍵）を外したときに、当該内枠１０３が不意に前方へ開くことを規制する規制手段としての機能を奏する。また面接触によって内枠１０３の荷重を受ける構成とすることで、内枠１０３の下面と幕板１１１の上面との合わせ面に間隙が生ずることを回避し、当該間隙を利用しての不正防止効果を得ることができる。
【００１４】
また本実施の形態では、内枠１０３の下辺部後側（パチンコ機１００の奥側）にコロ１２１を配置する構成としたことにより、当該コロ１２１は、パチンコ機１００の前方から見たとき、内枠１０３の下辺部の前側部分によって隠すことが可能となり、外観見栄えを損なうことがない。
【００１５】
なお実施の形態では、コロ１２１を内枠１０３側に設け、幕板１１１の上面を転動する構成としたが、コロ１２１を幕板１１１の上辺前端部に配置する一方、内枠１０３の下辺前端部には当該内枠１０３が閉じられた状態のときに、コロ１２１を逃がすための段差部を設定する構成に変更してもよい。この構成では、コロ１２１は内枠１０３の下面を転動したのち、内枠１０３の閉止位置では内枠１０３に設定された段差部に入り込むことになるため、コロ転動用として内枠１０３の下面に設ける金属板の前後にそれぞれ傾斜面が設定される。またコロ１２１は平行コロに限らずテーパーコロであってもよいし、コロ１２１に変えて球体を利用してもよい。コロ１２１の転動と荷重を受ける面接触とを金属板を介して行う構成において、コロ１２１の転動面と面接触による荷重受面とを別々に形成してもよい。また金属板はなくてもよい。
【００１６】
また実施の形態では、内枠１０３の閉止状態において、コロ１２１が幕板１１１（荷重受板１２５）から離間し、内枠１０３の荷重を受けない構成としたが、内枠１０３の荷重を面接触で受けつつコロ１２１で受ける構成にしてもよい。
また実施の形態は、外枠１０１に開閉自在に装着される内枠１０３を例にして説明したが、内枠１０３に限らず、当該内枠１０３に開閉自在に装着されるガラス枠１０７や前板１０９あるいは機構板に適用してもよい。
さらに本発明は、内枠１０３に対し、遊技盤１０５を嵌め込んで取り付ける構成において、コロ１２１によって遊技盤１０５の重量を支持しつつ当該遊技盤１０５を内枠１０３内に嵌め込み、遊技盤１０５が嵌め込まれた位置では、遊技盤１０５の下面が内枠１０３の下面に面接触することによって、コロ１２１の重量負担を軽減あるいは無くする構成とすることが可能である。
またコロ１２１は、開閉部材（内枠１０３）または受部材（幕板１１１）のいずれか一方に複数個設けられてもよく、開閉部材と受部材の双方に設けられてもよい。
また実施の形態では、パチンコ機１００について説明したが、パチンコ機１００に限られるものではなく、例えばスロットマシン、アレンジボール機、パチンコ球を使用してスロット遊技を行う遊技機等、その他の遊技機であっても適用することが可能である。
【００１７】
上記発明の趣旨に鑑み、以下の態様が構成可能である。すなわち、
（態様１）
「ヒンジ機構を介して開閉自在とされた開閉部材と、前記開閉部材が閉止位置へ移動されたとき、当該開閉部材の重量を受ける上面が形成された受部材とを備えた遊技機であって、
前記開閉部材の閉じ動作方向の奥側には、当該開閉部材の開閉動作時に当該開閉部材の重量を支持しつつ前記受部材の上面を転動する転動部材が備えられ、当該転動部材は、前記開閉部材の閉止位置では、前記開閉部材の下面と前記受部材の上面との面接触を許容する構成としたことを特徴とする遊技機。」
【００１８】
態様１に記載の発明によれば、ヒンジ機構を介して開閉自在とされた開閉部材と、開閉部材が閉止位置へ移動されたとき、当該開閉部材の重量を受ける上面が形成された受部材とを備えた遊技機が構成される。遊技機としては、典型的には、パチンコ機やスロットマシン等がこれに該当する。ここで「開閉自在」の態様としては、開閉部材がヒンジ機構を介して水平面内を回動可能に支持される態様がこれに該当する。また本発明における「開閉部材」と「受部材」の態様としては、典型的にはパチンコ機における外枠に開閉自在に装着される内枠と、外枠の前面下部に設けられる幕板との相対関係がこれに該当するが、内枠に開閉自在に装着されるガラス枠と、当該ガラス枠の下方に配置される上皿付き前板との相対関係、更には、内枠に開閉自在に装着される上皿付き前板と、当該前板の下方に配置される下皿との相対関係を、好適に包含する。またスロットマシンの場合であれば、「開閉部材」としては、フロントドアがこれに該当し、「受部材」としては、外枠（遊技機島への取付枠）がこれに該当する。
【００１９】
本発明に係る遊技機では、開閉部材の閉じ動作方向の奥側には、当該開閉部材の開閉動作時に当該開閉部材の重量を支持しつつ受部材の上面を転動する転動部材が備えられ、当該転動部材は、開閉部材の閉止位置では、開閉部材の下面と前記受部材の上面との面接触を許容する構成とされる。なお「開閉部材の閉じ方向の奥側」は、開閉部材の奥側端部に限定されるものでなく、少なくとも中心部よりも奥側であればよく、開閉部材の閉じ動作時に転動部材が受部材に最初に当るような位置であればよい。また「転動部材」とは、受部材の上面を転がる部材を指し、円筒体、円柱体、球状体および円錐体等を好適に包含する。また「面接触を許容する」とは、開閉部材の下面が受部材の上面に面接触した状態において、転動部材が受部材の上面に対して接触している態様、あるいは離間する態様のいずれも好適に包含する。
【００２０】
本発明によれば、開閉部材を開閉する際、開閉部材に設けられた転動部材が受部材の上面を当該開閉部材の重量を支持しつつ転動することで、開閉部材の開閉動作を補助する。これにより開閉部材の開閉動作を円滑に行うことが可能となる。一方、開閉部材が閉止位置にあるときは、転動部材は開閉部材の下面が受部材の上面に対し面接触することを許容する。これにより開閉部材の重量が受部材との面接触によって分散して支持され、同時に転動部材に掛かる重量が軽減あるいは消去される。その結果、転動部材および当該転動部材を支持する部材等の耐久性を向上することができる。また開閉部材と受部材が面接触することで、両部材の合わせ面に間隙が生ずることを回避し、当該間隙を利用しての不正防止効果を得ることができる。また本発明では、転動部材が開閉部材の閉じ方向の奥側に設けてあるため、当該開閉部材の前面部分によって隠すことが可能となり、前方からの外観見栄えを損なうことがない。
【００２１】
（態様２）
「ヒンジ機構を介して開閉自在とされた開閉部材と、前記開閉部材が閉止位置へ移動されたとき、当該開閉部材の重量を受ける上面が形成された受部材とを備えた遊技機であって、
前記受部材には、遊技機正面から見て手前側に、当該開閉部材の開閉動作時に当該開閉部材の重量を支持しつつ当該開閉部材の下面を転動する転動部材が備えられ、当該転動部材は、前記開閉部材の閉止位置では、前記開閉部材の下面と前記受部材の上面との面接触を許容する構成としたことを特徴とする遊技機。」
【００２２】
態様２に記載の発明によれば、ヒンジ機構を介して開閉自在とされた開閉部材と、開閉部材が閉止位置へ移動されたとき、当該開閉部材の重量を受ける上面が形成された受部材とを備えた遊技機が構成される。遊技機としては、典型的には、パチンコ機やスロットマシン等がこれに該当する。ここで「開閉自在」の態様としては、開閉部材がヒンジ機構を介して水平面内を回動可能に支持される態様がこれに該当する。また本発明における「開閉部材」と「受部材」の態様としては、典型的にはパチンコ機における外枠に開閉自在に装着される内枠と、外枠の前面下部に設けられる幕板との相対関係がこれに該当するが、内枠に開閉自在に装着されるガラス枠と、当該ガラス枠の下方に配置される上皿付き前板との相対関係、更には、内枠に開閉自在に装着される上皿付き前板と、当該前板の下方に配置される下皿との相対関係を、好適に包含する。
【００２３】
本発明に係る遊技機では、受部材には、遊技機正面から見て手前側に、当該開閉部材の開閉動作時に当該開閉部材の重量を支持しつつ当該開閉部材の下面を転動する転動部材が備えられ、当該転動部材は、開閉部材の閉止位置では、開閉部材の下面と受部材の上面との面接触を許容する構成とされる。なお「遊技機正面から見て手前側」は、受部材の前端部に限定されるものではなく、少なくとも中心部よりも手前側であればよく、開閉部材の閉じ動作時に転動部材が開閉部材に最初に当るような位置であればよい。また「転動部材」とは、開閉部材の下面を転がる部材を指し、円筒体、円柱体、球状体および円錐体等を好適に包含する。また「面接触を許容する」とは、開閉部材の下面が受部材の上面に面接触した状態において、転動部材が開閉部材の下面に対して接触している態様、あるいは離間する態様のいずれも好適に包含する。
【００２４】
本発明によれば、開閉部材を開閉する際、受部材に設けられた転動部材が開閉部材の下面を当該開閉部材の重量を支持しつつ転動することで、開閉部材の開閉動作を補助する。これにより開閉部材の開閉動作を円滑に行うことが可能となる。一方、開閉部材が閉止位置にあるときは、転動部材は開閉部材の下面が受部材の上面に対し面接触することを許容する。これにより開閉部材の重量が受部材との面接触によって分散して支持され、同時に転動部材に掛かる重量が軽減あるいは消去される。その結果、転動部材および当該転動部材を支持する部材等の耐久性を向上することができる。また開閉部材と受部材が面接触することで、両部材の合わせ面に間隙が生ずることを回避し、当該間隙を利用しての不正防止効果を得ることができる。
【００２５】
（態様３）
「態様１または２に記載の遊技機であって、
前記開閉部材が外枠に開閉自在に装着された内枠であり、前記受部材が前記外枠の前面下部に配置された幕板であることを特徴とする遊技機。」
【００２６】
態様３に記載の発明によれば、態様１または２に記載の遊技機において、開閉部材が外枠に開閉自在に装着された内枠であり、受部材が外枠の前面下部に配置された幕板である構成とされる。例えばパチンコ機の場合、内枠には遊技盤、機構板、ガラス枠等の各種の構成要素が装着される。このため、内枠はそれら各構成要素の重量のほか、遊技球の重量をも加えた相当の重量物となる。本発明によれば、内枠の閉止位置では、内枠下面と幕板上面との面接触によって内枠側の重量を分散して支持することができるため、上述したような大なる重量が転動部材に集中的に作用するのを回避し、当該転動部材の耐久性を向上する上での有効性が高いものとなる。ここで、「外枠」とは、遊技場に設けられる「島」に固定状に配設される枠をいう。
【００２７】
（態様４）
「態様１〜３のいずれかに記載の遊技機であって、
前記転動部材は、前記開閉部材の閉止位置では、前記開閉部材の重量を受けない構成とされていることを特徴とする遊技機。」
【００２８】
態様４に記載の発明によれば、態様１〜３のいずれかに記載の遊技機における転動部材は、開閉部材の閉止位置では、開閉部材の重量を受けない構成とされる。かかる構成によれば、開閉部材が閉止された状態では、転動部材に重量が作用することを回避し、当該転動部材およびその支持部材の耐久性をより一層向上することが可能となる。
【００２９】
（態様５）
「態様４に記載の遊技機であって、
前記転動部材は、前記開閉部材の閉止位置では、段差部に入り込む構成とされていることを特徴とする遊技機。」
【００３０】
態様５に記載の発明によれば、態様４に記載の遊技機における転動部材は、開閉部材の閉止位置では、段差部に入り込む構成とされる。かかる構成によれば、開閉部材の閉止状態において、簡単な構造でありながら転動部材の荷重の負担を軽減あるいは解消することができるとともに、段差部と当該段差部に入り込んだ転動部材との係合によって開閉部材の開き方向への動作を規制し、これによって開閉部材の不測の開放動作を防止することが可能となる。
【００３１】
（態様６）
「態様５に記載の遊技機であって、
前記段差部には、前記開閉部材の閉止動作方向に下り傾斜の傾斜面が形成されていることを特徴とする遊技機。」
【００３２】
態様６の発明によれば、態様５に記載の遊技機において、段差部には、開閉部材の閉止動作方向に下り傾斜の傾斜面が形成された構成とされる。かかる構成によれば、開閉部材の不測の開放動作を規制しつつ、当該開閉部材を開放する際に、転動部材が傾斜面を相対的に転動することで、開閉部材の開き動作を円滑に行うことが可能になるとともに、開閉部材の閉止状態では、当該開閉部材の開き方向への動作を規制し、不測の開放動作を防止することが可能となる。
【００３３】
（態様７）
「態様１〜６のいずれかに記載の遊技機であって、
前記開閉部材の閉じ動作時に前記転動部材が転動する上り傾斜の傾斜面が設けられていることを特徴とする遊技機。」
【００３４】
態様７に記載の発明によれば、態様１〜６のいずれかに記載の遊技機において、開閉部材の閉じ動作時に転動部材が転動する上り傾斜の傾斜面が備えられた構成とされる。かかる構成によれば、開閉部材が閉じ方向に動作されるとき、転動部材が上り傾斜の傾斜面を転動することで、開閉部材の閉じ動作を円滑化することができる。
【００３５】
（態様８）
「態様１〜７のいずれかに記載の遊技機であって、
前記開閉部材と前記受部材の前記面接触は、金属板を介して行われる構成としたことを特徴とする遊技機。」
【００３６】
態様８に記載の発明によれば、態様１〜７のいずれかに記載の遊技機おける開閉部材と受部材の面接触は、金属板を介して行われる構成としている。なお「金属板」としては、比較的低コストで調達可能な鉄板、軽量なアルミ合金あるいはステンレス等を好適に用いることができる。金属板を介しての接触構造とすることで、平滑な面を構成し易く、見栄えの良い構造が提供される。
【００３７】
（態様９）
「態様８に記載の遊技機であって、
前記金属板は、前記転動部材が相対的に転動する転動面を包含することを特徴とする遊技機。」
【００３８】
態様９に記載の発明によれば、態様８に記載の遊技機における金属板は、転動部材が相対的に転動する転動面を包含する構成とされる。転動面が金属板によって構成されることで、転動部材の転がり動作時の摩擦抵抗を減らし、円滑化を図ることができる。
【００３９】
（態様１０）
「内枠と、前記内枠に形成された窓部に嵌め込んで取り付けられる遊技盤と、を備え、前記内枠窓部への前記遊技盤の嵌め込み状態では、当該遊技盤の下面が前記内枠窓部の上向き面に載置されるように構成された遊技機であって、
前記遊技盤または前記内枠窓部のいずれか一方には転動部材が備えられ、当該転動部材は、前記内枠窓部に対する前記遊技盤の嵌め込みに際しては、当該遊技盤の重量を支持しつつ当該遊技盤の下面または前記内枠窓部の上向き面のいずれかを転動し、前記内枠窓部に対する前記遊技盤の嵌め込み位置では、前記遊技盤の下面と前記内枠窓部の上向き面との面接触を許容する構成としたことを特徴とする遊技機。」
【００４０】
態様１０に記載の発明によれば、内枠と、内枠に形成された窓部に嵌め込んで取り付けられる遊技盤と、を備え、内枠窓部への遊技盤の嵌め込み状態では、当該遊技盤の下面が内枠窓部の上向き面に載置されるように構成された遊技機が構成される。遊技機としては、典型的には、パチンコ機やスロットマシン等がこれに該当する。ここで「内枠」としては、遊技盤を嵌め込んだ後、一方の側縁部を回動支点にして回動することで遊技盤を所定の取付位置に取り付ける態様、あるいは遊技盤を嵌め込むことで当該遊技盤が所定の取付位置に取り付けられる態様のいずれをも好適に包含する。
本発明に係る遊技機では、遊技盤または内枠窓部のいずれか一方には、転動部材が備えられる。当該転動部材は、遊技盤の内枠窓部に対する嵌め込みに際しては、遊技盤の重量を支持しつつ遊技盤の下面または内枠窓部の上向き面のいずれかを転動し、遊技盤の内枠窓部に対する嵌め込み位置では、遊技盤の下面と内枠窓部の上向き面との面接触を許容する構成とされる。なお「転動部材」とは、遊技盤の下面または内枠窓部の上向き面のいずれかを転がる部材を指し、円筒体、円柱体、球状体および円錐体等を好適に包含する。また「面接触を許容する」とは、遊技盤の下面が内枠窓部の上向き面に面接触した状態において、転動部材が遊技盤の下面または内枠窓部の上向き面のいずれかに対して接触している態様、あるいは離間する態様のいずれも好適に包含する。
【００４１】
本発明によれば、遊技盤を内枠窓部に嵌め込んで取り付ける際、転動部材が遊技盤の重量を支持しつつ遊技盤の下面または内枠窓部の上向き面を転動することで、遊技盤の嵌め込み動作を補助する。これにより遊技盤の嵌め込み動作を円滑に行うことが可能となる。一方、遊技盤が嵌め込み位置にあるときは、転動部材は遊技盤の下面が内枠窓部の上向き面に対し面接触することを許容する。これにより遊技盤の重量が内枠窓部との面接触によって分散して支持され、同時に転動部材に掛かる重量が軽減あるいは消去される。その結果、転動部材および当該転動部材を支持する部材等の耐久性を向上することができる。
【図面の簡単な説明】
【００４２】
【図１】本発明の実施形態に係るパチンコ機の全体構成を示す斜視図である。
【図２】外枠および内枠の下部側を示す裏面図である。
【図３】図２のＡ−Ａ線断面図であり、内枠開放状態を示す。
【図４】図２のＡ−Ａ線断面図であり、内枠開閉途中状態を示す。
【図５】図２のＡ−Ａ線断面図であり、内枠閉止状態を示す。
【符号の説明】
【００４３】
１００  パチンコ機
１０１  外枠
１０３  内枠
１０３ａ  ヒンジ機構
１０５  遊技盤
１０７  ガラス枠
１０９  前枠
１１１  幕板
１１３  低所
１２１  コロ
１２３  コロ支持板
１２３ａ  平面部
１２５  荷重受板
１２５ａ  平面部
１２５ｂ  前側の傾斜面部
１２５ｃ  後側の傾斜面部
【図１】
2005253861.tif 000003
【図２】
2005253861.tif 000004
【図３】
2005253861.tif 000005
【図４】
2005253861.tif 000006
【図５】
2005253861.tif 000007